(57)【要約】  本開示は、経路に沿って移動可能な複数の隔置されたゲスト支持体と連動できるモーションベース型アトラクション装置を提供するものであり、この装置は、複数の隔置されたゲスト支持体と一時的に及び個別に同期するように構成された回転式カルーセルと、ゲスト支持体に向いて配置された視聴部分を各々が有し、ゲスト支持体を一時的に対象とするように可動な、カルーセルによって支持された少なくとも１対のドームと、各ドームによって支持され、視聴部分上に映像を表示するように構成された映像投影アセンブリとを有する。【選択図】      図１
2013512729.tif 000002
【特許請求の範囲】
【請求項１】
経路に沿って移動可能な複数の隔置されたゲスト支持体と連動できるモーションベース型アトラクション装置であって、
前記複数の隔置されたゲスト支持体と一時的に及び個別に同期するように構成された回転式カルーセルと、
前記ゲスト支持体に向いて配置された視聴部分を各々が有し、前記ゲスト支持体を一時的に覆うように動くことができる、前記カルーセルによって支持された少なくとも１対のドームと、
各ドームによって支持され、前記視聴部分上に映像を表示するように構成された映像投影アセンブリと、
を備えることを特徴とする装置。
【請求項２】
前記ゲスト支持体が、乗車用の乗り物、浮かんだ船、又は吊るされた座席を含む、
ことを特徴とする請求項１に記載のモーションベース型アトラクション装置。
【請求項３】
前記ゲスト支持体が、軌道上を移動可能であり、又はレーザ誘導される、
ことを特徴とする請求項１に記載のモーションベース型アトラクション装置。
【請求項４】
前記カルーセルの駆動軸に結合されて、前記カルーセルを双方向に回転させるように構成されたモータをさらに備える、
ことを特徴とする請求項１に記載のモーションベース型アトラクション装置。
【請求項５】
前記駆動軸に結合されたブレーキアセンブリをさらに備える、
ことを特徴とする請求項４に記載のモーションベース型アトラクション装置。
【請求項６】
前記カルーセルの下面に係合可能な、ガイドに取り付けられた複数のキャスタをさらに備える、
ことを特徴とする請求項１に記載のモーションベース型アトラクション装置。
【請求項７】
前記カルーセルが、ハブから外向きに広がる径方向ビームを含み、前記径方向ビームを、前記ハブの周囲を円周方向に走る水平ストラットが横切って網目状のネットワークを形成する、
ことを特徴とする請求項１に記載のモーションベース型アトラクション装置。
【請求項８】
前記カルーセルが、地面、壁又は天井に結合された複数のブロックによって支持される、
ことを特徴とする請求項１に記載のモーションベース型アトラクション装置。
【請求項９】
前記少なくとも１対のドームが、複合繊維ガラス又は炭素繊維で製造される、
ことを特徴とする請求項１に記載のモーションベース型アトラクション装置。
【請求項１０】
各ドームを構造的に支持するように構成されたドームアセンブリをさらに備え、該ドームアセンブリが、
前記ドームの外面に結合された１対の１次垂直支柱と、
前記カルーセルに取り付けられて、前記１次垂直支柱の各々を連結するように位置付けられた１次水平支柱と、
第１の端部の接合部において前記１次垂直支柱及び前記１次水平支柱の各々に結合され、前記カルーセルのハブに近接する第２の端部において他方の支柱に結合された１対の２次水平支柱と、
前記１次垂直支柱の各々及び前記１次水平支柱に結合された１対の２次垂直支柱と、
含むことを特徴とする請求項１に記載のモーションベース型アトラクション装置。
【請求項１１】
前記ドームが、ドームの背をさらに備える、
ことを特徴とする請求項１に記載のモーションベース型アトラクション装置。
【請求項１２】
前記ドームに少なくとも２つの移動度を与えるように構成されたドームアクチュエータをさらに備える、
ことを特徴とする請求項１に記載のモーションベース型アトラクション装置。
【請求項１３】
前記ドームアクチュエータが、油圧モータを含む、
ことを特徴とする請求項１２に記載のモーションベース型アトラクション装置。
【請求項１４】
前記映像投影アセンブリが、フレームによって支持されたデジタル投影機を含み、前記フレームが、前記ドームの頂部に結合されるとともに、ぶら下がり底部及び開口部を有し、前記デジタル投影機が、前記ドームの前記視聴部分上に映像を投影するために前記開口部に向いて配置される、
ことを特徴とする請求項１に記載のモーションベース型アトラクション装置。
【請求項１５】
前記ゲスト支持体、前記ドームアセンブリ、及び前記映像投影アセンブリの各々に取り付けられた一連のセンサをさらに備える、
ことを特徴とする請求項１に記載のモーションベース型アトラクション装置。
【請求項１６】
前記一連のセンサ、前記モータ、及び前記ブレーキアセンブリと通信するプロセッサをさらに備える、
ことを特徴とする請求項１５に記載のモーションベースアトラクション装置。
【請求項１７】
モーションベース型アトラクション装置のゲストスループットを高める方法であって、
映像を表示するための視聴部分を含む複数のドームを有する回転式カルーセルを提供するステップと、
前記カルーセルに近接する経路に沿って複数のゲスト支持体を移動させるステップと、
前記複数のドームの各々を前記複数のゲスト支持体の各々と同期させて、前記複数のゲスト支持体の各々と同期した前記ドームの各々に表示される前記映像の各々を同時に開始させるステップと、
を含むことを特徴とする方法。
【請求項１８】
前記カルーセルが、モータ及びブレーキアセンブリを含み、
前記ゲスト支持体が、軌道上を移動可能な乗車用の乗り物を含み、
前記複数のドームが、前記カルーセルによって支持されたドームアセンブリに結合される、
ことを特徴とする請求項１７に記載の方法。
【請求項１９】
フレームによって支持されたデジタル投影機を備えた映像投影アセンブリを提供するステップを含み、前記フレームが、前記ドームの頂部に結合されるとともにぶら下がり底部及び開口部を有し、前記デジタル投影機が、前記ドームの前記視聴部分上に映像を投影するために前記開口部に向いて配置される、
ことを特徴とする請求項１７に記載の方法。
【請求項２０】
前記複数のドームの各々を前記複数のゲスト支持体の各々と同期させるステップが、前記ゲスト支持体、前記ドームアセンブリ、及び前記映像投影アセンブリの各々に取り付けられた一連のセンサを提供するステップを含む、
ことを特徴とする請求項１７に記載の方法。
【請求項２１】
前記複数のドームの各々を前記複数のゲスト支持体の各々と同期させるステップが、前記一連のセンサ、前記モータ及び前記ブレーキアセンブリと通信するプロセッサを提供するステップをさらに含む、
ことを特徴とする請求項２０に記載の方法。
【請求項２２】
前記複数のドームの各々を前記複数のゲスト支持体の各々と同期させるステップが、
第１のゲスト支持体を第１のドームと同期させるステップと、
前記第１のドームの視聴部分上に物語の形で映像を表示するステップと、
第２のゲスト支持体を第２のドームと同期させるステップと、
前記第２のドームの視聴部分に前記物語の形で映像を表示するステップと、
をさらに含むことを特徴とする請求項１７に記載の方法。
【請求項２３】
前記複数のドームの各々を前記複数のゲスト支持体の各々と同期させるステップが、前記ドームに少なくとも２つの移動度を提供するように構成されたドームアクチュエータを提供するステップをさらに含み、前記ドームが、前記ゲスト支持体を部分的に封入するように構成される、
ことを特徴とする請求項１７に記載の方法。
【請求項２４】
前記ドームアクチュエータが、油圧モータを含む、
ことを特徴とする請求項２３に記載の方法。
【発明の詳細な説明】
【技術分野】
【０００１】
本発明は、テーマパークアトラクションに関する。より詳細には、本発明は、映像の視聴を含むモーションベース型アトラクションに関する。
【背景技術】
【０００２】
幅広い分野で、及び多くの異なる目的でシミュレータが使用されている。パイロット訓練用のフライトシミュレータ及び兵士訓練用の軍事シミュレータがよく知られている。アミューズメントパークのアトラクションという背景でのシミュレータの使用もよく知られている。一般に、この背景では、シミュレータは、１又はそれ以上の座席を有するモーションベースと、所定の一連の駆動信号に基づいてモーションベースを停止位置から動かす複数のプログラム可能アクチュエータとを含む。モーションベースの動きは、モーションベースに直接取り付けられた又は周辺環境内の投映スクリーン上に照らし出される動画又は物語と同期する。
【０００３】
例えば、米国特許第４，７９８，３７６号には、動画を見ている乗客を動かして傾けるモーションベースが記載されている。フレームを保持した複数の乗客全員が、別個の組のアクチュエータにより同期して動く。乗客には、静止スクリーン上で映画を表示する。フレームを保持した乗客は、２つの主として垂直なアクチュエータのみで支持されたビーム上で上下に枢動されるが、２対のリンク又はアームがビームの動きを制限する。
【０００４】
テーマパークアトラクションによっては、視覚スクリーンに相関付けられた回転運動（すなわち、横揺れ、縦揺れ及び偏揺れ）を利用して所望の効果を生み出すものもある。例えば、米国特許第５，５８４，６９７号には、システムコントローラを有するアトラクションシステムとともに使用するモーションベースが記載されており、このシステムコントローラは、ゲストにモーションベースの動きと同期させて一連のオーディオビジュアル映像信号を表示するためのコマンド信号を生成する。このモーションベースは反転し、６つの自由度をもつ。
【先行技術文献】
【特許文献】
【０００５】
【特許文献１】米国特許第４，７９８，３７６号明細書
【特許文献２】米国特許第５，５８４，６９７号明細書
【発明の概要】
【発明が解決しようとする課題】
【０００６】
上述した例のような現在のテーマパークアトラクションの多くでは、一度に１組の人々しかシミュレーションに参加できないので、スループットが大きく制限される。さらに、これらのアトラクションは、ゲストが経路に沿って移動してシミュレート環境に出入りできる状況に取り組まなければならない。入場及び退場を考慮しなければならない状況では、ゲスト車輌と視覚映像の間に厳密な相関関係が存在しなければならない。さらに、異なるスクリーン間を移行中に、ゲストが、スクリーンの枠の端、及び望ましくない角度での視聴などの望ましくない光景にさらされることもある。
【０００７】
従って、モーションベース型テーマパークアトラクションでは、スループットを高めながら、映像を視聴する質を向上させることも望まれる。
【課題を解決するための手段】
【０００８】
本開示は、モーションベース型アトラクション、及びモーションベース型アトラクションのゲストスループットを高める方法について説明する。
【０００９】
ある実施形態では、本発明は、経路に沿って移動可能な複数の隔置されたゲスト支持体と連動できるモーションベース型アトラクション装置を提供し、この装置は、前記複数の隔置されたゲスト支持体と一時的に及び個別に同期するように構成された回転式カルーセルと、前記ゲスト支持体に向いて配置された視聴部分を各々が有し、前記ゲスト支持体を一時的に対象とするように可動な、前記カルーセルによって支持された少なくとも１対のドームと、前記ドームによって支持され、前記視聴部分上に映像を表示するように構成された映像投影アセンブリとを備える。
【００１０】
本発明の別の実施形態では、モーションベース型アトラクション装置のゲストスループットを高める方法を提供する。この方法は、映像を表示するための視聴部分を有する複数のドームを有する回転式カルーセルを提供するステップと、前記カルーセルに近接する経路に沿って複数のゲスト支持体を移動させるステップと、前記複数のドームの各々を前記複数のゲスト支持体の各々と同期させるステップとを含み、前記複数のゲスト支持体の各々と同期した前記ドームの各々に表示される前記映像の各々が同時に開始する。
【００１１】
添付図面に関連して行う以下の説明を参照することにより、本開示のその他の特徴及び利点が明らかになる。
【００１２】
ここで、添付図面を簡単に参照する。
【図面の簡単な説明】
【００１３】
【図１】回転式カルーセルによって支持された複数のドームの斜視図である。
【図２】図１のカルーセルによって支持された複数のドームを上から見た図である。
【図３】図１及び図２のカルーセルによって支持された複数のドームの側面図である。
【図４】本発明のさらなる実施形態による段階的方法を示すフロー図である。
【図５】本発明の１つの実施形態によるモーションベース型アトラクション装置の斜視図である。
【図６】本発明の１つの実施形態による映像投影アセンブリの側面図である。
【発明を実施するための形態】
【００１４】
複数の図面を通じて、同じ参照符号は同じ又は対応する構成要素及び装置を示し、これらの図面は、別途指示しない限り縮尺通りに示しているわけではない。
【００１５】
本発明の１つの実施形態は、ゲスト支持体に向いて位置付けられた視聴部分を含む、回転式カルーセルによって支持された少なくとも１対のドームを有するモーションベース型アトラクション装置に関する。本発明によりもたらされる２つの格別の利点は、視聴部分への入場及び退場中にゲストの視野をスムーズに移行させつつ、ゲストスループットを高める能力である。
【００１６】
添付図面を参照しながら以下で説明する本発明の特定の構成及び配列は例示目的に過ぎない。添付の請求項の思想及び範囲から逸脱することなく、当業者の認識範囲内にあるその他の構成及び配列を実施し、使用し、又は販売することができる。例えば、本明細書では、アミューズメントパークの乗り物に関連して本発明のいくつかの実施形態を説明するが、当業者であれば、モーションベースのシミュレーションが有利となるあらゆる背景で本発明の実施形態を実施できると認識するであろう。例えば、いくつかの非限定的な例として、パイロット及び軍事訓練プログラムを挙げることができる。
【００１７】
本明細書では、単数形で記載された「１つの（英文不定冠詞）」に続く要素又は機能は、複数を除外すると明記しない限り、複数の前記要素又は機能を除外するものではないと理解されたい。さらに、本発明の「１つの実施形態」という表現は、記載した特徴を同様に含む追加の実施形態の存在を排除するものとして解釈すべきではない。
【００１８】
アトラクションの同期化
本発明の１つの実施形態は、複数の隔置されたゲスト支持体と連動できるモーションベース型アトラクション装置に関する。この複数の隔置されたゲスト支持体は、乗り物、船、及びゲストキャリアに取り付けられたロボットアームなどを含むことができる。ゲスト支持体は、軌道又はレーザーガイドなどの経路に沿って移動することができる。このゲスト支持体に、複数のドームが同期化される。
【００１９】
ここで図１を参照すると、モーションベース型アトラクション装置を参照番号１００で全体的に示している。モーションベース型アトラクション１００は、回転式カルーセル１０２、複数のドーム１０４、及びカルーセル１０２によって支持された個々のドーム１０４用の映像投影アセンブリ１０６を備えることができる。
【００２０】
この実施形態では、カルーセル１０２が、カルーセル１０２に十分な回転力を与えて所望の速度で回転させるように構成された、当業で公知の電気ＡＣモータなどのモータ１０８で動作する。この点、カルーセルは、（ゲストが乗り降りする間などに）所望の位置に到達するとカルーセルを停止するように構成されたブレーキアセンブリ１１０をさらに備える。ブレーキアセンブリ１１０は、（油圧、空気圧、電磁、ばね係合などにより）ディスクの両側にキャリパを押し付けて駆動軸を停止させるディスクブレーキシステムを備えることができる。本発明では、その他のブレーキアセンブリ（空気ブレーキ、ドラムブレーキなど）も適用可能であると理解されたい。移行をスムーズにするために、クラッチ（図示せず）をさらに設けてもよい。
【００２１】
カルーセル１０２は、複合物質又は金属物質などの適度に強固かつ耐久性のある構成要素で構成することができ、例えば、強度、耐久性及び質量などに基づいて既知の方法で選択することができる。カルーセルは、カルーセル１０２のハブ（図２を参照）に、駆動軸から径方向に広がるスイープ１２０を有することができ、これについては図２を参照しながらさらに詳細に説明する。このスイープ１２０は、一連の径方向ビーム１２２に重なることができ、このビーム１２２を、カルーセル１０２によって支持されたドーム１０４に安定性を与えるように配置できる一連のストラット１２４が約８０度〜９０度の角度で横切る。カルーセル１０２は、複数のブロック１２６によって支持することができ、これらのブロック１２６を、カルーセル１０２の荷重に耐えるように、安定した面（地面、強化壁、天井など）に結合することができる。
【００２２】
図１をさらに参照すると、カルーセル１０２によって複数のドーム１０４ａ〜ｆが支持されている。個々のドーム１０４ａ〜ｆは、独自の視聴部分１１２ａ〜ｆを含むことができるが、図１では視聴部分１１２ａ、ｅ及びｆしか見えない。ドーム１０４は、ドームアセンブリ１１４の１つの構成要素であり、このドームアセンブリ１１４は、１次垂直支柱１２８、２次垂直支柱１３２、１次水平支柱１３０、及び２次水平支柱１３４をさらに含む。全体として見た場合、支柱１２８〜１３４の各々が組み合わさって、これらの相対位置においてドーム１０４の完全性が維持される。例えば、図１に示す本発明の例示的な実施形態では、１次垂直支柱１２８が、ドーム１０４の外面上などの、ドーム１０４の非視聴部分に取り付けられる。垂直支柱１２８は、例えばボルト又は溶接によってドーム１０４に固定してもよく、或いは、ドーム１０４がカルーセルに対して可動であることが望ましい場合には、ヒンジ接合などのベアリングによってドーム１０４に結合することができる。１次垂直支柱１２８は、カルーセル１０２に取り付けることができる１次水平支柱１３０を介して連結される。２次水平支柱１３４は、２次水平支柱１３４の第１の端部の接合部において１次水平支柱１３０及び１次垂直支柱１２８に結合される。２次水平支柱１３４ａ及び１３４ｂの各々の第２の端部は、カルーセル１０２のハブ部分の近くに結合されて、ドーム１０４を配置するための三角形の基部を形成する。２次垂直支柱１３２は、１次水平支柱１３０及び１次垂直支柱１２８に結合されて、ドームアセンブリ１１４にさらなる安定性を与える。個々の支柱は、接着、溶接、又は既知の方法で一般的に固定できると理解されたい。ドームは、繊維ガラス、炭素繊維などで製造することができる。
【００２３】
本発明の任意の実施形態では、映像をより正確にゲスト支持体と同期させるために、ドームを回転させて水平に枢動させる（すなわち傾斜させる)などの異なる方向に動かすことが望ましい場合もある。この実施形態では、ドームが回転するときにドームを上下に持ち上げることができる油圧モータにドーム１０４を結合することができる。
【００２４】
図１をさらに参照すると、モーションベース型アトラクション１００は、ドーム１０４に支持されてドーム１０４の視聴部分１１２上に映像を表示するように構成された映像投影アセンブリ１０６をさらに備える。図示のように、個々のドーム１０４ａ〜ｆは、ドームの視聴部分１１２上に映像を表示するための、対応する映像投影装置１０６ａ〜ｆを有する。映像投影アセンブリ１０６は、デジタル投影機１４０、フレーム１４２及びブレース１４４を含むことができる。
【００２５】
図示のように、図１の例示的な実施形態では、デジタル投影機１４０が、ドーム１０４の頂部に結合されたフレーム１４２によって支持される。フレーム１４２は、デジタル投影機１４０をフレーム上に安全に保持するために、互いに連結された（すなわち、接着及び溶接を通じて）合金金属で構成することができる。フレーム１４２は、ぶら下がり底部１４６及び開口部１４８を有して配置される。デジタル投影機１４０は、開口部１４８に向いて配置され、ドーム１０４の視聴部分１１２上に映像を投影するように構成される。フレーム１４２ａ〜ｆの各々は、ブレース１４４で他のフレームにさらに結合され、このブレース１４４は、ブレース溶接物１５０でドーム１０４にさらに結合される。
【００２６】
ここで図２を参照すると、図１のカルーセル１０２によって支持された複数のドーム１０４を上から見た図を全体的に２００で示している。図２で最もよく分かるが、この例示的な実施形態に示すように、カルーセル１０２は全体的に六角形であり、このように６つのドーム１０４を収容することができる。これよりも多くの又は少ないドーム１０４が望ましい場合もあり、これに伴ってカルーセル１０２の形状を変更してもよいと理解されたい。カルーセル１０２は、ハブ２０２、シェル２０４、ドームの背２０６及びケーブル２０８をさらに含む。ケーブル２０８は、さらなる支持のためにドームの背２０６をフレーム１４２に結合する。スイープ１２０は、カルーセルの駆動軸２１０から径方向に広がり、モータ１０８及びブレーキアセンブリ１１０から成る駆動機構を少なくとも部分的に取り囲むように構成される。ハブ２０２からは、一連の径方向ビーム１２２が延び、これをハブ２０４の周囲をカルーセル１０２の周縁部まで円周方向に走るストラット１２４が横切って、網目状のネットワークを形成する。本発明の任意の実施形態では、ドーム１０４を可動（すなわち、複数方向に偏る）とすることができる。この実施形態では、動作中にドームの背２０６及びケーブル２０８が支持を行う。
【００２７】
次に図３を参照すると、図１及び図２のカルーセル１０２によって支持された複数のドーム１０４の側面図を参照番号３００で示している。この特定の図には、カルーセル１０２によって支持された３つのドーム１０４ａ〜ｃを示しており、個々のドームは、視聴部分１１２ａ〜ｃ上に映像を投影する映像投影アセンブリ１０６ａ〜ｃを有する。ドーム１０４の非視聴部分には、１次垂直支柱１２８が取り付けられる。ドームがカルーセル１０２に対して可動であることが望ましい場合、この垂直支柱をヒンジ接合などのベアリングによってドーム１０４に結合することができる。１次垂直支柱１２８は、カルーセル１０２に取り付けることができる１次水平支柱１３０に結合される。
【００２８】
図３で最もよく分かるように、カルーセル１０２の下部構造は、複数のキャスタ３０２をさらに含み、これがガイド３０４に固定されて、最終的に柱１２６によって支持される。キャスタホイール３０６の寸法を、カルーセル１０２の下面に取り付けられたベルト３０８に対応するように定める。このようにして、モータ１０８が駆動軸（図示せず）を駆動し、キャスタホイール３０６が、カルーセル１０２に回転運動を与えるガイドとして動作するように構成することができる。
【００２９】
本発明の別の実施形態では、本発明は、モーションベース型アトラクションのゲストスループットを高める方法を提供し、この方法は、ドームを支持する回転式カルーセルを提供するステップと、カルーセルに近接する経路に沿って複数のゲスト支持体を動かすステップと、ドームとゲスト支持体を同期させるステップとを含む。
【００３０】
ここで図４を参照すると、モーションベース型アトラクション装置のゲストスループットを高める方法を例示するのにより役立つフロー図を全体的に４００で示している。このフロー図には、例示的な段階的方法を示しているが、当業者であれば、ステップを再構成又は並べ換えしながら同様の結果を維持できると理解されたい。
【００３１】
ドームの視聴部分上に映像を表示するための複数のドームを有する回転式カルーセルを提供するステップ４０２は、図１〜図３に示す例示的な装置などの装置を提供するステップを含む。一般に、ゲスト支持体の近くに位置するこのような装置は、回転式カルーセルと、複数のドームと、個々のドーム用の映像投影アセンブリとを備えることができ、これについては図５を参照しながらさらに詳細に説明する。
【００３２】
カルーセルに近接する経路に沿って複数のゲスト支持体を移動させるステップ４０４は、ゲスト支持体が存在する１対の軌道を提供するステップを含むことができる。本発明の他の実施形態では、経路を流れ落ちる水を介して、又はレーザで誘導できるレーザ誘導式自動車型乗り物によってゲスト支持体に動きを与えることができる。
【００３３】
複数のドームの各々を複数のゲスト支持体の各々と同期させて、複数のゲスト支持体の各々と同期したドームの各々に表示される映像の各々が同時に開始するようにするステップ４０６は、カルーセル及びドームアセンブリが、特にドームアセンブリに対する個々のゲスト支持体の位置及び進行に関してゲスト支持体と通信するようにハードウェア及びソフトウェアを提供するステップを含むことができる。
【００３４】
この同期化ステップは、ゲストが異なる時点で物語を視聴できるようにすることによりゲストスループットを高める。例えば、これまでの既知のアトラクションでは、ゲスト又はゲストグループが支持体に入り、それから物語又はビデオの語りを開始することができる。次のゲストグループは、恐らく２〜３分後に物語が終了するまで入ることができない。従って、一度にたった１つのゲストグループ（例えば、３分間のセッション当たり２０人のゲスト）しかサービスを受けることができない。しかしながら、本発明の例示的な実施形態では、個々のゲストグループが、異なる時点で開始する物語を視聴することができる。例えば、あるゲストグループが第１のゲスト支持体に入り、軌道の周囲を移動し始めることができる。次に、カルーセルを介してドームの１つをこのゲスト支持体と同期させて、ゲスト支持体内のゲストが、適当な時点に開始するドームの視聴部分上の物語を視聴できるようにすることができる。第１のゲスト支持体が乗り場から出発した後、第２のゲストグループが第２のゲスト支持体に入り、軌道の周囲を移動し始めることができる。次に、カルーセルを介して第２のドームをこのゲスト支持体と同期させて、ゲスト支持体内のゲストが、このドームに固有の適当な時点に開始するドームの視聴部分上の物語を視聴することができる。このようにして、たとえ物語が３分を超える場合でも、別のゲストグループは、第１のグループが物語を全て見終わるのを待つ必要がないので、（乗降時間にほぼ等しい）３０秒〜１分ごとにサービスを受けることができる。
【００３５】
本発明の任意の実施形態では、複数のドームの各々を複数のゲスト支持体４０６の各々と同期させるステップが、カルーセルと一緒にドームを移動させるステップをさらに含むことができる。例えば、映像をより正確にゲスト支持体と同期させるために、ドームを回転させて水平に枢動させる（すなわち傾斜させる)などの異なる方向に動かすことが望ましい場合もある。この実施形態では、ドーム１０４を油圧モータに結合することができる。
【００３６】
移行中の望ましくない光景の低減
本発明の別の実施形態では、あるドームに関連するゲスト支持体の入場及び退場中の移行時間に基づいて、スクリーンの端などの望ましくない光景が移行中のゲストに見えるのを最低限に抑えるように映像を調整するためのモーションベース型アトラクション装置を図５に関連して示す。一般に、投影された映像を使用する既知のアトラクションでは、固定映像に対してゲストが移動するにつれ、映像の形が変わるように見える。例えば、ゲストがゲスト支持体内で軌道上を移動する場合、ゲストが映像処理装置に近づくと、結像面に対して映像が引き延ばされたように見え、より映像に近づくと、結像面に対して映像が明らかに短くなったように見えることがあり、従ってアトラクションの感覚が現実的でなくなる。
【００３７】
ここで図５を参照すると、ゲストグループ５０６を運ぶ軌道５０４上に存在するゲスト支持体５０２の斜視図を、カルーセル１０２によって支持された、映像投影アセンブリ１０６を有するドームアセンブリ１０４と関連付けて全体的に５００で示している。ゲスト支持体５０２は、中央処理装置（マイクロプロセッサ、コントローラ、メインコンピュータなど）を通じてカルーセル１０２及びドーム１０４と通信できる軌道位置センサ５１０を備える。この点、カルーセル及びドームは、カルーセルの位置を感知するための、カルーセル１０２上の一連のカルーセルセンサ５１０、及びドームの位置をさらに感知するための、ドーム１０４上のドームセンサ５１２を備えることもできる。提供するコントローラ又はプロセッサは、ゲスト支持体が、矢印５０８で示すように軌道５０４を下って移動するにつれ、ゲストが入場及び退場中にスムーズな移行を楽しめるようにドーム１０４の位置が変位するように、ゲスト支持体５０２に対してカルーセル１０２及びドーム１０４の位置を自動的に変位させるように構成される。例えば、中央処理装置（図示せず）が、ゲスト支持車両５０２、カルーセル１０２、ドーム１０４、映像投影アセンブリ１０６、モータ１０８、及びドームアクチュエータ５１４と（センサ５１０、５１２などを介して）通信することができる。
【００３８】
この中央処理装置を、モータ１０８に自動的に信号を送信して、矢印５１６で示すようにゲスト支持体５０２の位置に応じてカルーセル１０２を回転させるように構成することができる。中央処理装置は、矢印５１８で示すようにゲスト支持体５０２の位置に対してドームを傾斜させるように構成されたドームアクチュエータ５１４を作動させることもできる。このように、ゲストがドーム１０４に近づくにつれてドームの映像部分（図１〜図３を参照のこと）がゲストの視点になるので、ゲスト５０６が映像スクリーンの端部などの望ましくない光景に決して気付かないようにすることができる。さらに、ドームが回転することにより、入場及び退場時に生じる映像の歪み（伸縮など）がもはや問題でなくなる。この点、映像（すなわち、物語）が軌道５０４の周辺でゲストに追随し、乗車時間にわたって望ましい視野角を生み出すことができる。
【００３９】
本発明の別の実施形態では、モーションベース型アトラクション装置が、経路に沿って移動可能な複数の隔置されたゲスト支持体と連動可能であるとともに、移動するゲスト支持体に近接する回転式カルーセルと、ゲスト支持体に向いて配置された視聴部分を有する、カルーセルによって支持された少なくとも１つのドームと、カルーセルによって支持され、視聴部分上に映像を表示するように構成された映像投影アセンブリとを備え、この映像投影アセンブリは、ゲストがドームアセンブリに出入りする際に映像を調整するように構成される。この実施形態の装置は、図１〜図３に示すようなものとすることができる。図１〜図３に示すような、参照番号１０６によって識別できる映像投影アセンブリは、デジタル投影機１４０を含む。このデジタル投影機を、ゲストがドームアセンブリに出入りする際に映像を調整するように構成することができる。
【００４０】
図６に、例示的な映像投影アセンブリを示している。この映像投影アセンブリ１０６はドーム１０４に取り付けられ、ドーム１０４の視聴部分１１２上に映像を表示するように構成される。デジタル投影機１４０は、ドームの背２０６を通じてドーム１０４の頂部に結合されたフレーム１４２によって支持される。フレーム１４２は、その上にデジタル投影機１４０を安全に保持するために、互いに連結された（すなわち、接着及び溶接を介して）合金金属で構成することができる。フレーム１４２は、ぶら下がり底部１４６及び開口部１４８を有して配置される。デジタル投影機１４０は、開口部１４８に向いて配置され、ドーム１０４の視聴部分１１２上に映像を投影するように構成される。
【００４１】
本発明の任意の実施形態では、本明細書にその他の多くの視覚的及び機械的な特別な効果を組み入れ、これらを個別に又は連携して使用できると理解されたい。例えば、ドーム（又はゲスト支持体）に風の要素又は香りの要素を導入することができる。図１〜図３及び図５〜図６に示す例示的な実施形態では、映像を視聴するための結像面としてドームを使用したが、この結像面は、カルーセルによって支持され動かすことができるフラットスクリーンなどのいずれの所望の形状及びサイズであってもよいことをさらに理解されたい。
【００４２】
現時点で最も実用的かつ好ましい実施形態と考えられるものに関連して本発明を説明したが、本発明は本明細書で開示したこれらの実施形態に限定されるものではないと理解されたい。むしろ、本発明は、添付の請求項の思想及び範囲に含まれる様々な修正物及び同等の構成を全て含むことが意図されている。
【００４３】
図面によって、本発明の様々な実施形態の特定の特徴を示したものもそうでないものもあるが、これは便宜のために過ぎない。本発明の原理によれば、１つの図面の（単複の）特徴を、その他の図面のいずれかの特徴の一部又は全てと組み合わせることができる。本明細書で使用する「含む（ｉｎｃｌｕｄｉｎｇ）」、「備える（ｃｏｍｐｒｉｓｉｎｇ）」、「有する（ｈａｖｉｎｇ）」及び「伴う（ｗｉｔｈ）」という単語は、広範かつ包括的に解釈されるべきものであり、いずれの物理的相互接続にも限定されるものではない。さらに、本明細書で開示したあらゆる実施形態を、唯一考えられる実施形態として解釈すべきではない。むしろ、添付の特許請求の範囲には、修正物及びその他の実施形態も含まれることが意図されている。
【符号の説明】
【００４４】
１００：モーションベースアトラクション
１０２：カルーセル
１０４ａ：ドームａ
１０４ｂ：ドームｂ
１０４ｃ：ドームｃ
１０４ｄ：ドームｄ
１０４ｅ：ドームｅ
１０６ａ：映像投影アセンブリ
１０６ｂ：映像投影アセンブリ
１０６ｃ：映像投影アセンブリ
１０６ｄ：映像投影アセンブリ
１０６ｅ：映像投影アセンブリ
１０６ｆ：映像投影アセンブリ
１０８：モータ
１１０：ブレーキアセンブリ
１１２ａ：視聴部分ａ
１１２ｅ：視聴部分ｅ
１１２ｆ：視聴部分ｆ
１１４：ドームアセンブリ
１２０：スイープ
１２２：径方向ビーム
１２４：支柱
１２６：ブロック
１２８：１次垂直支柱
１３０：１次水平支柱
１３２：２次垂直支柱
１３４：２次水平支柱
１３４ｂ：２次水平支柱
１４０：デジタル投影機
１４２ａ：フレームａ
１４２ｂ：フレームｂ
１４２ｃ：フレームｃ
１４２ｄ：フレームｄ
１４２ｅ：フレームｅ
１４２ｆ：フレームｆ
１４４：ブレース
１４６：ぶら下がり底部
１４８：開口部
１５０：ブレース溶接物
１５２：ケーブル
【図１】
2013512729.tif 000003
【図２】
2013512729.tif 000004
【図３】
2013512729.tif 000005
【図４】
2013512729.tif 000006
【図５】
2013512729.tif 000007
【図６】
2013512729.tif 000008
【国際調査報告】
2013512729.tif 000009
2013512729.tif 000010
2013512729.tif 000011